(57)【要約】【課題】水が噴出される吐水口近傍部分においても水をボウル部の内面に降下させることができ、ボウル部の内面全体を均一に洗浄することができる水洗便器を提供する。【解決手段】鉢状のボウル部１０と、当該ボウル部１０の上端部の位置においてボウル部１０を囲むように設けられた内側が開放された通液路１２と、当該通液路１２に対して水または液体を吐出可能な吐出部２５とを有し、前記通液路１２に、吐出部２５から吐出された液体が流入可能な流入部２６が設けられており、通液路１２を流れる液体を前記開放部分からボウル部１０の内側に落下させることが可能な水洗便器１であって、流入部２６を通過した水または液体の一部が、流入部２６近傍においてボウル部１０の内側へ落下することを特徴とした。【選択図】図２
2007315060.tif 000002
【特許請求の範囲】
【請求項１】
鉢状のボウル部と、当該ボウル部の上端部の位置においてボウル部を囲むように設けられた内側が開放された通液路と、当該通液路に対して水または液体を吐出可能な吐出部とを有し、前記通液路に、吐出部から吐出された液体が流入可能な流入部が設けられており、通液路を流れる液体を前記開放部分からボウル部の内側に落下させることが可能な水洗便器であって、流入部を通過した水または液体の一部が、流入部近傍においてボウル部の内側へ落下することを特徴とする水洗便器。
【請求項２】
吐出部は、水または液体を噴出可能な噴出手段と、噴出手段から噴出された水または液体の流れを調整する調整手段とを備えており、噴出手段から噴出された水または液体を前記調整手段に当てることにより、吐出手段から噴出された水または液体の流れを調整することによって、流入部を通過した水または液体の一部が、流入部近傍においてボウル部の内側へ落下することを特徴とする請求項１に記載の水洗便器。
【請求項３】
前記通液路は、開放された部分に対向する周壁を有し、前記調整手段は当該周壁と連続するように形成された壁面であって、前記噴出手段はノズルであり、ノズルの噴出方向の軸線が、前記壁面と交差することを特徴とする請求項２に記載の水洗便器。
【請求項４】
前記壁面に対する前記軸線の角度が５〜６０度の範囲内であることを特徴とする請求項３に記載の水洗便器。
【発明の詳細な説明】
【技術分野】
【０００１】
本発明は、水洗便器に関するものである。
【背景技術】
【０００２】
従来から水洗便器では、排泄物を受けるボウル部の内面の洗浄方式の一形態として、水がボウル部の内面を旋回するように流れることによってボウル部の内面に付着した汚物を洗い流す方式の水洗便器が知られている。
【０００３】
特許文献１には、ボウル部とボウル部の上周縁部を周回するように形成されたリム部の通水路とを連続した曲面に形成し、同通水路を通してボウル部の内面に水を供給するようにした水洗便器において、通水路に臨ませて吐水口を形成すると共に、同吐水口は、ボウル部の内面と同一素材にて一体成型したことを特徴とする水洗便器が開示されている。
【特許文献１】特開２００４−１５６３０８号公報
【発明の開示】
【発明が解決しようとする課題】
【０００４】
しかし、従来の水洗便器では、吐水口がボウル部の直線形状に近いところに配置されていたため、ノズルから吐出された直後の水が直ちにボウル部の曲面部分には当たらず、吐水口の近傍で洗浄水を降下させることが困難であった。そのため、ボウル部の内面のうち吐水口近傍部分の洗浄が不十分となり、ボウル部の内面全体を均一に洗浄することが困難であった。
【０００５】
そこで本発明は、上記問題点を鑑みて、水が噴出される吐水口近傍部分においても水をボウル部の内周面に降下させることができ、ボウル部の内周面全体を均一に洗浄することが可能な旋回流洗浄方式の水洗便器を提供することを課題とする。
【課題を解決するための手段】
【０００６】
上記課題を解決するため、請求項１の発明では、鉢状のボウル部と、当該ボウル部の上端部の位置においてボウル部を囲むように設けられた内側が開放された通液路と、当該通液路に対して水または液体を吐出可能な吐出部とを有し、前記通液路に、吐出部から吐出された液体が流入可能な流入部が設けられており、通液路を流れる液体を前記開放部分からボウル部の内側に落下させることが可能な水洗便器であって、流入部を通過した水または液体の一部が、流入部近傍においてボウル部の内側へ落下することを特徴とした。
【０００７】
これにより、水が排出される吐水口（流入部）近傍のボウル部の内面に対しても、水を降下させることができるため、当該部分を確実に洗浄することができる。その結果、ボウル部の内周面全体を均一に洗浄することが可能である。
【０００８】
上記請求項１に記載の水洗便器は、吐出部は、水または液体を噴出可能な噴出手段と、噴出手段から噴出された水または液体の流れを調整する調整手段とを備えており、噴出手段から噴出された水または液体を前記調整手段に当てることにより、吐出手段から噴出された水または液体の流れを調整することによって、流入部を通過した水または液体の一部が、流入部近傍においてボウル部の内側へ落下することを特徴とするものであってもよい（請求項２）。
【０００９】
請求項３の発明では、請求項２の発明において、前記通液路は、開放された部分に対向する周壁を有し、前記調整手段は当該周壁と連続するように形成された壁面であって、前記噴出手段はノズルであり、ノズルの噴出方向の軸線が、前記壁面と交差することを特徴とした。
【００１０】
調整手段である壁面が通液路の周壁と連続しているため、ノズルから噴出された水または液体の大部分を、壁面に沿って流入部から通液路に流すことができる。また、ノズルの噴出方向の軸線が壁面と交差しているため、ノズルから噴出した水または液体は、直接的に流入部に向かうのではなく、壁面に当たって跳ね返ったり、壁面に当たって跳ね返ってきた水または液体と合流するなどして、広がった後に通液路に流される。その結果、請求項３の発明は、ノズルから噴出された水または液体の一部を、流入部近傍においてボウル部の内側へ確実に落下させることができる。
【００１１】
請求項４の発明では、請求項３の発明において、前記壁面に対する前記軸線の角度が５〜６０度の範囲内であることを特徴とした。
【００１２】
水または液体が壁面に入射する角度が大きければ、水または液体が飛散する可能性が高い。しかし、請求項４の発明では、この角度を５〜６０度に限定したため、噴出された水または液体が壁面に入射する際に、水または液体が飛散するのを抑制することができる。
【発明の効果】
【００１３】
本発明では、水が噴出される吐水口近傍部分においても水をボウル部の内面に降下させることができるため、ボウル部の内面全体を均一に洗浄することができる。
【発明を実施するための最良の形態】
【００１４】
続いて、本発明の一実施形態にかかる水洗便器について図面を参照しながら詳細に説明する。なお、以下の説明では、特に断りがない限り、水洗便器の上下左右や前後等の位置関係の説明については、水洗便器に対向した状態を基準として説明する。
【００１５】
図１は、本実施形態の水洗便器を示す側面図である。水洗便器１は、いわゆる洋式便器であり、従来公知のものと同様に便器本体２に対して便座３や覆蓋５を取り付けた構成とされている。
【００１６】
便器本体２は、図１や図２に示すように、ボウル部１０と排出部１１とリム部１２（通液路）と洗浄水噴出部２５（吐出部）とを有する。ボウル部１０は、上面が開口した鉢状のものである。ボウル部１０の底部には、ボウル部１０に溜まった水（液体）や汚物をボウル部１０から排出するための排出口として機能する開口１５が設けられている。開口１５には、排出部１１が配管を介して接続されている。
【００１７】
図１に示すように、排出部１１は、排出口１６に加えて、可動部１７や電磁弁１８を有する。排出口１６は、下水道等につながる配管が接続される部分であり、便器本体２の底面において開口している。また、可動部１７は、水や汚物を通過させることが可能な筒状の部位であり、モータ等からなる動力源（図示せず）の作動に伴って上方側あるいは下方側に向けて傾斜した状態となる。
【００１８】
可動部１７は、通常、図１（ａ）に示すように末端部分が上方に向くように傾斜している。一方、ボウル部１０に溜まっている水や汚物を排出する際にリモコン（図示せず）等を操作すると、図１（ｂ）に示すように図示しない動力源が作動して可動部１７が下方に傾斜すると共に、電磁弁１８が開く。これにより、ボウル部１０に溜まっている水や汚物を排出口１６に向けて排出することができる。
【００１９】
リム部１２は、図２に示すようにボウル部１０の全周を取り囲むように設けられている。リム部１２は、図３に示すようにボウル部１０の上端部分に位置しており、断面形状が略「コ」字状の溝によって構成されている。リム部１２は、便器本体２の左奥側に設けられて洗浄水噴出部２５から供給される水が流れる流路（通液路）を構成するものである。
【００２０】
さらに具体的には、図３に示すように、リム部１２は、天面２０、外周面２１および底面２２の３面によって囲まれており、外周面２１に対して対向する部分に、ボウル部１０の内側に向けて開口した開放部２３を持つ構成とされている。リム部１２の天面２１は、上記した便座３の底面と接触する部分である。また、外周面２１は、便器本体２の外周に沿って形成された面である。
【００２１】
リム部１２の底面２２は、上記した天面２１に対向する位置にあり、図２に示すようにボウル部１０の略全周を取り囲むように設けられている。底面２２は、図３（ｂ）に示すように、ボウル部１０の内側に向けて下り勾配がついた構成とされている。
【００２２】
そして、図４に示すように、リム部１２の左奥側の外周面２１には、リム部１２に水を供給するための開口である吐水口２６（流入部）があり、吐水口２６の奥には洗浄水噴出部２５が設けられている。
【００２３】
吐水口２６の開口領域の大きさは、後述のノズル１３の吐出口よりも大きく、吐水口２６の周方向の長さは、リム部１２の底面２２の幅と同程度またはそれ以上の大きさである。
【００２４】
洗浄水噴出部２５は、ノズル１３と調整空間２７を有している。調整空間２７は吐水口２６の奥に設けられており、調整空間２７の奥にはノズル１３が設置されている。ノズル１３は、給水源に接続されて調整空間２７に対して水を供給する。調整空間２７は、ノズル１３から供給される水の流れを調整するための空間であり、図４に示すように、調整面３０、底面３１、天面３２、側面３３、奥面３４から構成されている。
【００２５】
調整面３０は、図２に示すように、リム部１２の外周面２１と連続した凹曲面である。また、底面３１は天面３２と対向する位置にある。底面３１は、リム部１２の底面２２と連続する平面であり、天面３２は、リム部１２の天面２０と連続する平面である。側面３３は調整面に対向する平面であり、奥面３４は吐水口２６と対向する平面である。そして、調整空間２７の奥面３４にはノズル１３が設置されている。
【００２６】
ノズル１３は、水の噴出方向が調整面３０側に傾斜するように設置されている。さらに具体的には、図５に示すようにノズル１３における水の噴出方向と調整面３０とが交差している。調整空間２７において吐水口２６近傍の調整面３０に当たるように、ノズル１３の向きが調整されている。
【００２７】
また、調整面３０とノズル１３から噴出される水との入射角αが大きくなると、水の勢いによって水が飛散するため、入射角αは水が飛散しない程度に設計されている。さらに具体的には、入射角αは５〜６０度の範囲内が望ましく、本実施形態では略２０度となっている。
【００２８】
続いて、本実施形態の水洗便器１においてボウル部１０を洗浄する際の動作及び水の流れについて説明する。水洗便器１は、リモコン（図示せず）等を操作することにより、給水源からノズル１３に対してボウル１０の洗浄用の水が供給されると共に、排出部１１の可動部１７が図１（ａ）のように上方に向いた姿勢から図１（ｂ）のように下方に向いた姿勢に切り替わる。またこの際、排出部１１の電磁弁１８は開いた状態になる。
【００２９】
上記したようにして、給水源からノズル１３に水が供給されると、ノズル１３から噴出した水は、調整空間２７の調整面３０に向かって直進する。すなわち、ノズル１３から噴出した水は、直接的に吐水口２６に向かうのではなく、一旦調整面３０に当たって調整空間２７に跳ね返ったり、調整面３０に当たって調整空間２７内に跳ね返ってきた水と合流するなどして、調整空間２７内に広がる。調整空間２７内に広がった水は、その後、ノズル１３から噴出される水に押されるなどして加勢されて、吐水口２６の全域から吐き出される。
【００３０】
また、調整面３０は、リム部１２の外周面２１と連続した凹曲面で形成されている。ノズル１３から噴出された水の大部分は、調整面３０に当てられた後、凹曲面で形成された調整面３０およびこれに連続した外周面２１に沿って下流側にスムーズに流れる。一方、吐水口２６を通過した水の一部は、調整面３０に当たって水流の勢いが落ち、吐水口２１の近傍でボウル部１０の内周面に沿って下降し、吐水口２１近傍の内周面を洗浄する。
【００３１】
さらに具体的には、吐水口２１の近傍とは、吐水口２１からリム部１２を下流に向かって、リム部１２の全周長の略２０％までの範囲を指す。また、このとき吐水口２１近傍でボウル部１０の内周面に沿って下降する水の割合は、ノズル１３から噴出される水の略２０％である。
【００３２】
上記したようにして、吐水口２６からリム部１２内に流入した水は、図２に矢印で示すようにリム部１２の湾曲に沿ってボウル部１０の外周を流れる。この際、リム部１２を流れる水は、下流側に向けて進むにつれて開放部２３から少しずつボウル部１０の内側に向けて落下する。これにより、ボウル部１０の内側には、図２に矢印で示すように、リム部１２の開放部２３から落下してきた水の旋回流が発生し、ボウル部１０の内周面全体が洗浄される。
【００３３】
上記したようにしてボウル部１０の内周面に沿って落下し内周面を洗浄した水は、ボウル部１０の底に設けられた開口１５に至る。開口１５に至った水は、開口１５に配管接合された排出部１１の可動部１７を通って排出口１６から排出される。
【００３４】
上記したようにして、ボウル部１０の洗浄開始後、所定量の水がノズル１３から噴出された時点、あるいは、ボウル部１０の洗浄開始後、所定時間が経過した時点で、排出部１１の可動部１７を構成する筒が図１（ｂ）に示すように下方に傾いた状態から図１（ａ）に示すように上方に傾いた姿勢に切り替わる。また、この際、可動部１７に設けられた電磁弁１８が閉止される。その後、所定時間が経過するまで、あるいは、ノズル１３を介して所定量の水が供給されるまで、図示しない給水源からノズル１３およびリム部１２を介してボウル部１０内に水が供給される。これにより、ボウル部１０に水が所定量だけ溜まった状態となり、一連のボウル部１０の洗浄動作が完了する。
【００３５】
上記したように、本実施形態の水洗便器１では、吐水口２６よりも水の流れ方向下流側の部位だけでなく、吐水口２６近傍においてもリム部１２側からボウル部１０の内側に水が落下する。すなわち、水洗便器１は、ボウル部１０の洗浄時にボウル部１０の内周面全体にムラなく水が行き渡る。そのため、本実施形態の水洗便器１によれば、ボウル部１０の内周面全体をくまなく略均一に洗浄することができる。
【００３６】
上記実施形態において、吐水部１６は右側後方に配置されたが、本発明はこのような構成に限られるわけではない。例えば、吐水部１６を左側後方に配置し、旋回流の向きを上記実施形態とは逆向きにすることも可能である。
【００３７】
上記実施形態では、ノズル１３に給水源から水が供給される場合を例に挙げたが、本発明はこれに限定されるものではなく、先に洗浄液等を混ぜた液体等がノズル１３に供給される構成であってもよい。
【図面の簡単な説明】
【００３８】
【図１】本発明の一実施形態にかかる水洗便器を示す側面図であり、（ａ）は当該水洗便器の第１の作動状態、（ｂ）は当該水洗便器の第２の作動状態を示すものである。
【図２】ボウル部の断面を上方から観察した状態を示す断面図である。
【図３】（ａ）は図１に示す水洗便器におけるボウル部および排出部の右方側面図であり、（ｂ）はボウル部の断面を右方から観察した状態を示す断面図である。
【図４】洗浄水噴出部の斜視図である。
【図５】ノズルの噴出方向の軸線と調整壁との関係を示す説明図である。
【符号の説明】
【００３９】
１    水洗便器
２    便器本体
１０  ボウル部
１２  リム部（通液路）
１３  ノズル
２３  開放部
２５  洗浄水噴出部（吐出部）
２６  吐水口（流入部）
３０  調整面
【図１】
2007315060.tif 000003
【図２】
2007315060.tif 000004
【図３】
2007315060.tif 000005
【図４】
2007315060.tif 000006
【図５】
2007315060.tif 000007